(57)【特許請求の範囲】
【請求項１】
ユーザが買物をした買物情報を家計簿情報処理装置へ送信する店舗端末と、ユーザが保持するユーザ端末と通信を介して接続可能に構成された装置であって、
上記ユーザ端末から送信された当該ユーザの志向を表す目標情報及びユーザの年収、家族構成等の属性情報を、上記ユーザを識別するユーザＩＤと関連付けて記憶装置に記憶するユーザ情報記憶手段と、
上記店舗端末から送信されたユーザの買い物情報を、ユーザの収支情報を表す家計簿情報としてユーザＩＤと関連付けて記憶装置に記憶する家計簿情報記憶手段と、
上記各ユーザのユーザＩＤに対応付けて、上記ユーザ端末からユーザが基準家計簿として選択された家計簿情報を基準家計簿情報として記憶装置に記憶するコミュニティ情報記憶手段と、
商品又はサービスの広告情報と、当該広告情報の提供対象となるユーザの収入や目標情報などのターゲット情報を記憶装置に記憶する広告情報記憶手段と、
上記店舗端末からユーザＩＤとユーザが買物をした買物情報とを収集し、上記家計簿情報記憶手段に記憶する登録手段と、
上記ユーザ情報記憶手段を参照して、ユーザの目標情報及び属性情報に適合する目標情報及び属性情報を有する他のユーザを特定し、上記家計簿情報記憶手段を参照して、当該他のユーザの家計簿情報を抽出して上記ユーザ端末に対して匿名で表示させ、上記ユーザの端末から、表示された他のユーザの家計簿情報の中から上記ユーザが選択した他のユーザの家計簿情報を受付け、上記ユーザが基準とする基準家計簿として当該ユーザのＩＤに関連付けて上記コミュニティ情報記憶手段に記憶する設定手段と、
上記家計簿情報記憶手段を参照して、当該ユーザの家計簿情報と、当該ユーザの基準家計簿として上記コミュニティ情報記憶手段に設定されている他のユーザの基準家計簿情報を取得して、取得した基準家計簿情報とユーザの家計簿情報との差分から乖離情報を抽出する乖離情報処理手段と、
上記抽出した乖離情報を上記ユーザ端末に送信して表示させる提供手段と、
上記ユーザ情報記憶手段に記憶されている当該ユーザの目標情報及び家計簿情報記憶手段に記憶されている当該ユーザの家計簿情報の収入に適合するターゲット情報を有している広告情報を上記広告情報記憶手段から抽出して、上記ユーザ端末に表示されるＷｅｂページ上にバナー表示させ、又は、上記ユーザの端末に対してメールを配信する広告情報提供手段と、
を有することを特徴とする家計簿情報処理装置。
【請求項２】
上記ユーザが上記他のユーザとの間で、匿名表示させた情報を送受信するための情報交換処理手段を更に有する、
請求項１記載の家計簿情報処理装置。
【請求項３】
上記登録手段は、上記ユーザの家計簿情報に関連付けて、上記ユーザが取引した商品又はサービスに関する取引情報をさらに登録し、
上記乖離情報は、上記取引情報ごとの基準家計簿情報とユーザの家計簿情報の差分の金額情報である、
請求項１又は２記載の家計簿情報処理装置。
【請求項４】
上記ユーザの取引情報に基づいて、各取引情報の取引金額を変更して家計簿情報の再計算を行うことでシュミレーションを行うシュミレーション手段を更に有する、
請求項３記載の家計簿情報処理装置。
【請求項５】
上記取引情報のうちの食品情報の総カロリー数を計算し、この総カロリー数が標準的な家庭の消費カロリー数に対してどの程度の割合か、或いは栄養バランス情報を作成してユーザの端末に送信する健康管理手段を更に有する、
請求項４又は５に記載の家計簿情報処理装置。
【請求項６】
上記ユーザは、複数の構成員を含んだ家庭であり、
上記登録手段は、家計簿情報に含まれる各項目情報を、上記構成員の識別情報と関連付けて登録し、
上記乖離情報処理手段は、上記構成員毎に乖離情報を抽出する、
請求項１〜５のいずれかの項に記載の家計簿情報処理装置。
【請求項７】
ユーザが買物をした買物情報を家計簿情報処理装置へ送信する店舗端末と、ユーザが保持するユーザ端末と通信を介して接続可能に構成され、上記ユーザ端末から送信された当該ユーザの志向を表す目標情報及びユーザの年収、家族構成等の属性情報を、上記ユーザを識別するユーザＩＤと関連付けて記憶装置に記憶するユーザ情報記憶手段と、上記店舗端末から送信されたユーザの買い物情報を、ユーザの収支情報を表す家計簿情報としてユーザＩＤと関連付けて記憶装置に記憶する家計簿情報記憶手段と、上記各ユーザのユーザＩＤに対応付けて、上記ユーザ端末からユーザが基準家計簿として選択された家計簿情報を基準家計簿情報として記憶装置に記憶するコミュニティ情報記憶手段と、商品又はサービスの広告情報と、当該広告情報の提供対象となるユーザの収入や目標情報などのターゲット情報を記憶装置に記憶する広告情報記憶手段と、を有するコンピュータにより行われる方法であって、
上記コンピュータが、
上記店舗端末からユーザＩＤとユーザが買物をした買物情報とを収集し、上記家計簿情報記憶手段に記憶する処理と、
上記ユーザ情報記憶手段を参照して、ユーザの目標情報及び属性情報に適合する目標情報及び属性情報を有する他のユーザを特定し、上記家計簿情報記憶手段を参照して、当該他のユーザの家計簿情報を抽出して上記ユーザ端末に対して匿名で表示させ、上記ユーザの端末から、表示された他のユーザの家計簿情報の中から上記ユーザが選択した他のユーザの家計簿情報を受付け、上記ユーザが基準とする基準家計簿として当該ユーザのＩＤに関連付けて上記コミュニティ情報記憶手段に記憶する処理と、
上記家計簿情報記憶手段を参照して、当該ユーザの家計簿情報と、当該ユーザの基準家計簿として上記コミュニティ情報記憶手段に設定されている他のユーザの基準家計簿情報を取得して、取得した基準家計簿情報とユーザの家計簿情報との差分から乖離情報を抽出する処理と、
上記抽出した乖離情報を上記ユーザ端末に送信して表示させる処理と、
上記ユーザ情報記憶手段に記憶されている当該ユーザの目標情報及び家計簿情報記憶手段に記憶されている当該ユーザの家計簿情報の収入に適合するターゲット情報を有している広告情報を上記広告情報記憶手段から抽出して、上記ユーザ端末に表示されるＷｅｂページ上にバナー表示させ、又は、上記ユーザの端末に対してメールを配信する処理と、
を行うことを特徴とする家計簿情報処理方法。
【請求項８】
ユーザが買物をした買物情報を家計簿情報処理装置へ送信する店舗端末と、ユーザが保持するユーザ端末と通信を介して接続可能に構成され、上記ユーザ端末から送信された当該ユーザの志向を表す目標情報及びユーザの年収、家族構成等の属性情報を、上記ユーザを識別するユーザＩＤと関連付けて記憶装置に記憶するユーザ情報記憶手段と、上記店舗端末から送信されたユーザの買い物情報を、ユーザの収支情報を表す家計簿情報としてユーザＩＤと関連付けて記憶装置に記憶する家計簿情報記憶手段と、上記各ユーザのユーザＩＤに対応付けて、上記ユーザ端末からユーザが基準家計簿として選択された家計簿情報を基準家計簿情報として記憶装置に記憶するコミュニティ情報記憶手段と、商品又はサービスの広告情報と、当該広告情報の提供対象となるユーザの収入や目標情報などのターゲット情報を記憶装置に記憶する広告情報記憶手段と、を有する家計簿情報処理装置としてコンピュータを機能させるコンピュータプログラムであって、
上記コンピュータに対して、
上記店舗端末からユーザＩＤとユーザが買物をした買物情報とを収集し、上記家計簿情報記憶手段に記憶する処理と、
上記ユーザ情報記憶手段を参照して、ユーザの目標情報及び属性情報に適合する目標情報及び属性情報を有する他のユーザを特定し、上記家計簿情報記憶手段を参照して、当該他のユーザの家計簿情報を抽出して上記ユーザ端末に対して匿名で表示させ、上記ユーザの端末から、表示された他のユーザの家計簿情報の中から上記ユーザが選択した他のユーザの家計簿情報を受付け、上記ユーザが基準とする基準家計簿として当該ユーザのＩＤに関連付けて上記コミュニティ情報記憶手段に記憶する処理と、
上記家計簿情報記憶手段を参照して、当該ユーザの家計簿情報と、当該ユーザの基準家計簿として上記コミュニティ情報記憶手段に設定されている他のユーザの基準家計簿情報を取得して、取得した基準家計簿情報とユーザの家計簿情報との差分から乖離情報を抽出する処理と、
上記抽出した乖離情報を上記ユーザ端末に送信して表示させる処理と、
上記ユーザ情報記憶手段に記憶されている当該ユーザの目標情報又は属性情報及び家計簿情報記憶手段に記憶されている当該ユーザの家計簿情報の収入に適合するターゲット情報を有している広告情報を上記広告情報記憶手段から抽出して、上記ユーザ端末に表示されるＷｅｂページ上にバナー表示させ、又は、上記ユーザの端末に対してメールを配信する処理と、
を実行させるコンピュータプログラム。
【発明の詳細な説明】
【０００１】
【発明の属する技術分野】
本発明は、ユーザの家計を支援するための技術に関する。
【０００２】
【従来の技術】
従来から、各家庭の主婦などは家計簿を作成し、これをもとに収入に対する支出の割合や、貯蓄の割合、支出項目の割合などを算定し、家計の自己分析を行っていた。
また、家計簿作成等を支援するため、特開２００１−３５０９１３号等に記載のシステムなどが既に提案されている。この特開２００１−３５０９１３号には、ネットワークを利用して、ユーザの収入、支出情報を収集して家計簿を作成すると共に、その対収入総額比で家計簿を分析して家計簿を評価すること、及びこの家計簿情報に基づいて商品販売者から商品情報の提供を受けるシステムが提案されている。
【０００３】
【発明が解決しようとする課題】
しかし、従来のシステムでは、各ユーザは家計簿を作成することができても、例えば、家を購入したいとか、車を購入したいといった各ユーザの志向に配慮して具体的にどの支出項目を、どの程度削減すればよいのかなどの具体的な改善の仕方を提供していなかった。即ち、上述の公報記載の技術は、一般的な家計簿の分析を行ってくれるが、例えば、ユーザが住宅や車の購入などのどのような志向をもっているのかといった情報や、ユーザの年齢、居住地域、家族構成、趣味、嗜好などのユーザの属性情報などを考慮して家計の分析や、評価を行うものではなかった。
そのため、単に家計簿分析しても、ユーザの志向に必ずしも合致しているとは限らず、ユーザに対する適切なフィードバックができていなかった。
【０００４】
また、ユーザとしては、最も参考となる情報としては、自分と同じ志向をもち、かつ、同様な属性を有している他のユーザの家計簿情報を参考にしたいという要望があったが、家計簿は個人的なものであるため公開されておらず、これを参考にすることが不可能であった。
【０００５】
さらに、例えば、食費を削減するために同じ商品をより安く購入したい場合でも、どの店で購入すればよいのかといった情報はユーザ自身が収集しなければならならなかった。そのため、この情報収集が煩わしく、せっかく家計簿をつけても家計の改善に繋がらないという問題があった。
【０００６】
本発明は、上述の問題点を解決するためになされたものであって、ユーザの目的に応じた家計簿情報の分析ができるとともに、ユーザに対してその目的を達成するための具体的な改善点を提供できる仕組みを得ることを課題とする。
【０００７】
【課題を解決するための手段】
上記課題を解決するため、本発明の一の観点にかかる家計簿情報処理装置は、ユーザが基準とする基準家計簿情報を設定する設定手段と、上記ユーザの収支情報を表す家計簿情報を登録する登録手段と、上記ユーザが登録した家計簿情報と上記基準家計簿情報との乖離情報を抽出する乖離情報処理手段と、抽出した乖離情報を上記ユーザに対して提供する提供手段とを有することを特徴とする。
【０００８】
また、上記基準家計簿情報は、上記ユーザと同じ志向を持った他のユーザの家計簿情報であってもよい。
【０００９】
また、上記設定手段は、上記ユーザと同じ志向を持った他のユーザのうち、上記ユーザの特徴を表わす属性情報に適合する属性を有する他のユーザの家計簿情報を基準家計簿情報として設定してもよい。
【００１０】
また、上記提供手段は、上記ユーザからの要求に応じて他のユーザの家計情報を匿名で提供してもよい。
【００１１】
また、上記ユーザが上記他のユーザとの間で情報を送受信するための情報交換処理手段を更に有してもよい。
【００１２】
また、上記情報交換手段は、ユーザと上記他のユーザとの間で匿名で情報を送受信ができるようにしてもよい。
【００１３】
また、上記登録手段は、上記ユーザの家計簿情報に関連付けて、上記ユーザが取引した商品又はサービスに関する取引情報をさらに登録し、上記乖離情報は、上記取引情報ごとの基準家計簿情報とユーザの家計簿情報の差分の金額情報としてもよい。
【００１４】
また、上記ユーザの取引情報に基づいて、各取引情報の取引金額を変更して家計簿情報のシュミレーションを行うシュミレーション手段を更に有してもよい。
【００１５】
また、上記取引情報のうちから食品情報を抽出し、上記ユーザが消費した食品の栄養評価情報を算定し、算定した栄養評価情報をユーザに提供する健康管理手段を更に有してもよい。
【００１６】
また、上記ユーザの家計簿情報に適合した広告情報を上記ユーザに提供する広告情報提供手段を更に有してもよい。
【００１７】
また、商品又はサービスの広告情報と、当該広告情報の提供対象となるユーザを特定するターゲット情報を記憶した広告情報記憶手段を有し、上記広告情報提供手段は、上記広告情報記憶手段を参照して、上記ユーザの属性情報に適合した広告情報を抽出して上記ユーザに提供してもよい。
【００１８】
また、上記ユーザは、複数の構成員を含んだ家庭であり、上記登録手段は、家計簿情報に含まれる各項目情報を、上記構成員の識別情報と関連付けて登録し、上記乖離情報処理手段は、上記構成員毎に乖離情報を抽出してもよい。
【００１９】
本発明の一の観点にかかる家計簿情報処理方法は、コンピュータにより、ユーザが基準とする基準家計簿情報を設定する処理と、上記ユーザの実際の収支情報を表す家計簿情報を登録する処理と、上記ユーザが登録した家計簿情報と上記基準家計簿情報との乖離情報を抽出し、抽出した乖離情報を上記ユーザに対して提供する処理と、を実行することを特徴とする。
【００２０】
また、発明の一の観点にかかるコンピュータプログラムは、コンピュータに対して、ユーザが基準とする基準家計簿情報を設定する処理と、上記ユーザの実際の収支情報を表す家計簿情報を登録する処理と、上記ユーザが登録した家計簿情報と上記基準家計簿情報との乖離情報を抽出し、抽出した乖離情報を上記ユーザに対して提供する処理と、を実行させること特徴とする。
【００２１】
【発明の実施の形態】
以下、図面を参照して、本発明にかかる実施形態について説明する。
図1に本発明にかかる家計簿情報処理装置を、ユーザの家計簿情報を分析・管理するシステムに適用した一実施形態を例に説明する。
図1において、本実施形態にかかるシステムは、ユーザ管理装置１と、このユーザ管理装置１と所定の通信回線、インターネット等のネットワークを介して接続可能に構成された店舗端末２及びユーザ端末３から構成されている。
【００２２】
店舗端末２は、商品又はサービス等を販売する店舗が管理する端末である。
この店舗端末２は、コンピュータにより構成され、商品等の広告情報及びそのターゲットのユーザ属性情報とをユーザ管理装置１へ送信して、広告情報の登録要求を行うことができる。
また、店舗端末２は、店舗内に配置されたＰＯＳ端末等を介して、商品等を購入したユーザのユーザＩＤ、ユーザが購入した商品等の品名、金額、購入日付、店舗名などの店舗識別情報等をユーザ管理装置１に送信し、これにより家計簿作成の支援を行うことができる。
【００２３】
ユーザ端末３は、ユーザが保持する端末であって、コンピュータにより構成され、インターネットを介してユーザ管理装置１に接続可能となっている。
このユーザ端末３は、ブラウザーによりインターネット接続可能で、かつ、所定のメーラーにより電子メール等の送受信ができるようになっている。
このユーザ端末３としては、例えば、いわゆるパソコンや、携帯電話、ＰＤＡ(Personal Digital Assistance)端末などにより実現することができる。
【００２４】
ユーザ管理装置１は、本発明にかかる家計簿情報処理装置を構成する。
このユーザ管理装置１は、コンピュータにより構成され、ＣＰＵ(Central Processing Unit)、ＲＡＭ(Random Access Memory)及びＲＯＭ(Read Only Memory)などの内部メモリ、ハードディスク装置などの外部記憶装置、ネットワークインターフェースなどにより、図２に示した機能ブロックを構成することができる。図２に示した機能ブロックは、ユーザ情報データベース１１、家計簿情報データベース１２、広告情報データベース１３、コミュニティ情報データベース１４、ユーザ情報登録処理部１５、家計簿情報登録処理部１６、乖離情報処理部１７、家計簿情報提供処理部１８、シュミレーション処理部１９、健康情報管理部２０、広告情報処理部２１、メール処理部２２から構成されている。
【００２５】
ユーザ情報データベース１１は、ユーザに関する情報をデータベース化した記憶部である。
このユーザ情報データベース１１に記憶されるデータの一例を図３に示す。
図３に示すように、ユーザ情報データベース１１には、ユーザとしての各家庭を識別するためのユーザＩＤ、その家庭の年収、家族構成、住所、そのユーザの志向情報としての目標情報、メールアドレス、その家庭に属する個人を識別するための個人ＩＤ、氏名及び年齢などの情報が記憶できるようになっている。
【００２６】
家計簿情報データベース１２は、各ユーザの家計簿情報をデータベース化した記憶部である。
この家計簿情報データベース１２に記憶されるデータの一例を図４に示す。
図４に示すように、家計簿情報データベース１２には、取引したユーザを特定するためのユーザＩＤ、その商品等を使用・消費等した個人を識別する個人ＩＤ、取引の日付、金額、取引の種別を表す収支情報、具体的な取引内容を表す科目情報、取引先等の情報を表す取引先情報などが記憶できるようになっている。
なお、個人ＩＤが特に指定されていないものについては、特定の個人向けの取引でなく、ユーザ（家庭）に共通の項目を表している。
【００２７】
広告情報データベース１３は、店舗から登録された商品又はサービス等に関する広告情報等をデータベース化した記憶部である。
この広告情報データベース１３に記憶されるデータの一例を図５に示す。
図５に示すように、広告情報データベース１３には、広告情報を識別するための広告ＩＤ、広告対象の商品又はサービスを提供する店舗情報、広告の内容を表す広告情報、当該広告のターゲットとなるユーザを特定するターゲット情報、広告情報の有効期間を表す有効期間情報などを記憶することができる。
なお、ターゲット情報を指定するか否かは任意であり、特に指定がない場合には、全てのユーザ向けの広告情報として扱ってもよい。
【００２８】
コミュニティ情報データベース１４は、同じ目標情報をもったユーザのコミュニティに関する情報をデータベース化した記憶部である。
このコミュニティ情報データベース１４には、各コミュニティを識別するためのコミュニティＩＤ、各コミュニティ用のＷｅｂページＵＲＬと、各コミュニティに属するユーザのユーザＩＤ、各ユーザが基準として設定した基準家計簿情報、基準家計簿情報に対するユーザの実際の家計簿の評価点情報などが記憶できるようになっている。
なお、基準家計簿情報としては、ユーザが目標として他のユーザの家計簿を基準家計簿として設定した場合には、当該他のユーザのユーザＩＤが基準家計簿情報として記憶されるようになっている。
【００２９】
ユーザ情報登録処理部１５は、ユーザからの要求等によりユーザ情報等の登録処理を行う。この際登録する情報としては、年収、家族構成などのユーザ情報データベース１１に記憶される情報と、基準家計簿情報が含まれる。
【００３０】
家計簿情報登録処理部１６は、各ユーザが取引等を行った取引情報を家計簿情報として家計簿情報データベース１２に登録する処理を行う。
この処理としては、例えば、家計簿情報登録処理部１６が、ユーザに対して所定のＷｅｂ画面上に入力フォームを表示して入力を要求することなどにより行うことができる。また、ユーザがクレジットカード使用して商品等を購入した情報については、家計簿情報登録処理部１６が、購入したユーザ名、商品等の名称、取引日、金額などの情報を図示しないクレジットカード会社から取得して登録してもよい。なお、この場合には、後で取引情報に個人ＩＤなどの情報をユーザが個別に入力することもできる。
また、予めユーザＩＤと個人ＩＤが記憶されたカードをユーザに配布しておき、店舗で商品等を購入した際にカードに記憶されているユーザＩＤ及び個人ＩＤを店舗端末３で読み取って、家計簿情報登録処理部１６が収集して登録するようにしてもよい。
【００３１】
乖離情報処理部１７は、ユーザが登録した家計簿情報とユーザが設定した基準家計簿情報との乖離を抽出する処理を行う。
この処理としては、例えば、乖離情報処理部１７が、ユーザの家計簿情報の取引項目毎に、基準家計簿情報との乖離が生じているか否か、その乖離は金額としてどの程度の金額か、金額が適正範囲内か否かを判別することなどにより行うことができる。なお、この処理は、項目ごと、個人ごとに行うことができる。
また、乖離情報処理部１７は、基準家計簿情報との乖離の程度を評価点として数値化することができる。
【００３２】
家計簿情報提供処理部１８は、ユーザに対して当該ユーザ或いは他のユーザの家計簿情報を所定のＷｅｂページ上で提供する処理を行う。
自己の家計簿情報を提供する際には、家計簿情報提供処理部１８が、乖離情報処理部１７が算定した評価点もあわせて提供することができる。
また、他のユーザの家計簿情報を提供する場合には、家計簿情報提供処理部１８が名前の部分を削除、或いは別の名前に変換して匿名で提供することができる。
【００３３】
シュミレーション処理部１９は、ユーザの取引情報に基づいて、各取引情報の取引金額として任意の金額に変更して家計簿のシュミレーションを行い、ユーザに提供する処理を行う。
このシュミレーションとしては、例えば、シュミレーション処理部１９が、あと数万円を貯金すれば目標額までどの程度の期間で到達できるかなど、所定の計算アルゴリズムにより算定してユーザに提供してもよい。
【００３４】
健康情報管理部２０は、ユーザが購入した食品情報を抽出し、これからユーザが消費した食品の栄養バランス情報を計算し、計算した栄養バランス情報をユーザに提供するを行う。
この処理としては、例えば、ユーザ（家庭）で購入された食品の総カロリー数から、家庭全体のカロリー数を計算し、これが標準的な家庭の消費カロリー数に対してどの程度の割合になるかを表示したり、購入された食品情報から、野菜や肉、魚などバランスをレーダーチャート化して、購入された食品の栄養バランス情報を提供するようにしてもよい。
【００３５】
広告情報処理部２１は、ユーザの家計簿情報に適合した広告情報をユーザに提供する処理を行う。
この処理としては、広告情報処理部２１が、広告情報データベース１３を参照して、ユーザの目標情報や家計簿情報に適合した広告情報を抽出して提供するようにしてもよい。
なお、広告情報を提供する形態としては、ユーザに対して広告情報或いは広告情報が掲載されているＷｅｂページのＵＲＬなどをメールにより送信してもよいし、またユーザ用のＷｅｂページに当該広告情報のバナーを提供してもよく、任意である。
【００３６】
メール処理部２２は、ユーザと他のユーザとの間でメールによる情報交換を行うための処理を行う。
このメール処理部２２は、例えば、フリーメールのように、各ユーザのメールアドレス等が他方のユーザに知られないように、連絡用の匿名のメールアドレス等を用意しておき、このメールアドレスを用いてユーザ間で情報交換ができるようにしてもよい。
【００３７】
次に、本発明にかかる家計簿情報処理方法の実施形態について説明する。
まず、ユーザ情報の登録処理について図７を参照して説明する。
図７において、まず、ユーザがユーザ管理装置１が提供するＷｅｂページ等に対してアクセスしユーザ登録を要求すると、ユーザ情報登録処理部１５は当該ユーザ登録要求を受付ける（Ｓ１０１）。
ユーザ登録要求を受付けると、ユーザ情報登録処理部１５は、Ｗｅｂページ上に登録フォームを表示してユーザ情報の入力を要求する（Ｓ１０２）。この際入力を要求する情報としては、例えば、年収、家族構成、目標情報、メールアドレス、家族の氏名、年齢、住所などの情報である。
ユーザ情報の入力が完了すると、ユーザ情報登録処理部１５は、入力された情報をユーザ情報データベース１１に登録すると共に、その目標情報に応じて、コミュニティ情報データベース１４の所定の目標情報を有するコミュニティにユーザＩＤを登録する（Ｓ１０３）。
【００３８】
また、ユーザ情報登録処理部１５は、登録されたユーザの目標情報及び、ユーザの年収、家族構成等の属性情報に基づいて、この属性情報と同じか或いは近似する属性情報を有する複数の他のユーザの家計簿情報を抽出して匿名で表示し、ユーザに対してこの中から基準家計簿情報を選択するように要求する（Ｓ１０４）。
なお、他のユーザの家計簿情報を抽出する際は、ユーザ情報登録処理部１５が、同じ或いは最も近似する他のユーザの家計簿情報を一つだけ抽出して、これを基準家計簿としてもよい。
そして、ユーザ情報登録処理部１５は、選択された家計簿情報を基準家計簿情報として、コミュニティ情報データベース１４に記憶して（Ｓ１０５）、ユーザ情報登録及び基準家簿の設定処理を終了する。
【００３９】
次に、ユーザの家計簿情報を登録する際の処理について図８を参照して説明する。
図８において、まず、所定のタイミングで店舗端末２からユーザが商品等を購入した取引情報が送信されると、家計簿情報登録処理部１６は送信されたこれらの取引情報を受信し、家計簿情報データベース１２に記憶する（Ｓ２０１）。
また、ユーザから家計簿情報の登録要求があると、家計簿情報登録処理部１６は、店舗端末２から送信された家計簿情報をＷｅｂページ上に表示し、ユーザに確認を要求する（Ｓ２０２）。
【００４０】
確認が完了すると、家計簿情報登録処理部１６は、表示した情報に対して追加情報(例えば、商品に対してそれを利用した個人ＩＤ、或いは登録されていない取引情報など）の登録要求があるか否か判別する（Ｓ２０３）。
判別の結果、追加情報がない場合には、家計簿情報登録処理部１６は家計簿情報登録処理を終了する。
また、追加情報がある場合には、家計簿情報登録処理部１６は所定の入力フォーム等をＷｅｂページ上に表示して入力を要求する（Ｓ２０４）。
【００４１】
入力が完了すると、家計簿情報登録処理部１６は、全ての取引情報を入力したか否かユーザに確認する（Ｓ２０５）。
入力が完了していない場合には、家計簿情報登録処理部１６は、Ｓ２０４の処理に戻って処理を繰り返す。
また、入力が完了した場合には、家計簿情報登録処理部１６は家計簿情報登録処理を終了する。
【００４２】
次に、家計簿情報の各種分析処理について説明する。
まず、図９において、ユーザからＷｅｂページ上で家計簿情報の表示が要求されると、家計簿情報提供処理部１８がこの要求を受付ける（Ｓ３０１）。
表示要求を受付けると、乖離情報処理部１７は、家計簿情報データベース１２から、当該ユーザの家計簿情報を取得する（Ｓ３０２）。
また、乖離情報処理部１７は、コミュニティ情報データベース１４を参照して、当該ユーザの基準家計簿情報を特定し、特定した基準家計簿となっている他のユーザの家計簿情報を家計簿情報データベース１２から取得する（Ｓ３０３）。
【００４３】
乖離情報処理部１７は、取得したユーザの家計簿情報と、基準家計簿情報との収支の乖離を計算する（Ｓ３０４）。
この計算としては、例えば、食費や光熱費などの取引項目ごとに基準家計簿金額に対するユーザの家計簿情報の各金額の差分を計算してもよい。
そして、乖離情報処理部１７は、全ての取引項目について処理したか否か判定する（Ｓ３０５）。
判定の結果、全ての取引項目について処理していない場合には、Ｓ３０４の処理に戻って処理を繰り返す。
【００４４】
また、全ての取引項目について処理が完了した場合には、乖離情報処理部１７は、基準家計簿情報に対するユーザの家計簿情報の評価点を計算する（Ｓ３０６）。
この処理としては、例えば、基準家計簿の支出を１として、それに対する全体の乖離金額の大きさから、１％以下であれば１００点、５％以下であれば９０点等の所定のアルゴリズムにより評価してもよい。
【００４５】
評価点の計算が完了すると、家計簿情報提供処理部１８は、Ｗｅｂページ上に当該ユーザの家計簿情報と、各項目の乖離度、全体の評価点などを表示すると共に、他の処理を選択するためのアイコンを表示する（Ｓ３０７）。
この画面表示の一例を図１１に示す。図１１の例では、ユーザの家計簿情報として収入と支出に分け、支出は更に各項目（図示の例では、食費、光熱費、教育費など）に分けて支出した金額と、各項目毎の乖離金額と、最後に評価点を表示している。
【００４６】
家計簿情報と他の処理選択のアイコンを表示した状態で、家計簿情報提供処理部１８は、ユーザにより次の処理が選択されたか否か判別する（Ｓ３０８）。
判別の結果、終了が選択された場合には、家計簿情報提供処理部１８は家計簿情報提供処理を終了する。
【００４７】
引き続きユーザにより他の処理が選択された場合の処理について、図１０を参照して説明する。
図１０において、ユーザが個人家計簿情報を選択した場合（Ｓ３１０）には、家計簿情報提供処理部１８が家計簿情報データベース１２の家計簿情報を参照し、各個人ＩＤに基づいて取引項目をソートする（Ｓ３１１）。
そして、家計簿情報提供処理部１８は、図１３に示すように、各個人毎の取引項目を抽出してＷｅｂページ上に表示して（Ｓ３１２）、処理を終了する。
【００４８】
また、Ｓ３０８の処理で、シュミレーションが選択された場合（Ｓ３２０）には、シュミレーション処理部１９が、図１３に示すようなシュミレーション金額の入力画面を表示して、各項目についてシュミレーション金額の入力を要求する（Ｓ３２１）。
ユーザによりシュミレーション金額が入力され、実行アイコンが選択されると、シュミレーション処理部１９は、入力された金額に基づいて計算を行い、ユーザの目標情報をどの程度で達成できるか計算する（Ｓ３２２）。
この計算としては、例えば、実際の貯蓄額からの目標達成までの期間と、シュミレーションで入力された貯蓄金額から目標達成までの期間を計算し、この差分がどの程度になるかを計算することなどにより行うことができる。
そして、シュミレーション処理部１９は、シュミレーションの計算結果を、例えば、「目標の車購入を目標より１年２月早く購入できます！」といったように、Ｗｅｂ画面上に表示して（Ｓ３２３）、処理を終了する。
【００４９】
また、Ｓ３０８の処理で、コミュニティ家計簿参照が選択された場合（Ｓ３３０）には、家計簿情報提供処理部１８が、コミュニティ情報データベース１４を参照して、当該コミュニティに属する他のユーザを特定し、当該他のユーザのうち同じ目標情報を持つユーザのうち、属性情報がユーザと近い順に、当該他のユーザの家計簿情報を表示する（Ｓ３３１）。
この表示の一例を図１４に示す。図１４に示したように、家計簿情報提供処理部１８が、各コミュニティに属する他のユーザの家計簿を匿名で表示する。
また、各項目の詳細内容が見たい場合にはユーザが見たい項目の「詳細」ボタンを選択することにより、図１５に示したように詳細内容と、詳細内容について問い合わせを行うためのメール送信のアイコンを表示するようにしてもよい。
【００５０】
そして、家計簿情報提供処理部１８は、図１５の画面で他のユーザへメール送信を選択したか否かを判別する（Ｓ３３２）。
判別の結果、メールの送信を行わない場合には、コミュニティ家計簿参照の処理を終了する。
また、判別の結果、メール送信を行う場合には、メール送信部２２が、ユーザ情報データベース１１に記憶されているメールアドレスに基づいて他のユーザにメールを送信して（Ｓ３３３）、処理を終了する。
なお、他のユーザとの間でメールやりとりする場合には、メール送信部２２が予め問い合わせ用のメールアドレスを用意しておき、これを使用することにより互いにメールの交換ができるようにしてもよい。これにより、互いに匿名で情報の交換を行うことができる。
【００５１】
また、Ｓ３０８の処理で健康管理が選択された場合（Ｓ３４０）には、健康情報管理部２０が、家計簿情報データベース１２を参照して、ユーザが購入した食品から、例えば１ヶ月の総カロリー数を計算する（Ｓ３４１）。
なお、このカロリー計算は、例えば、健康情報管理部２０が販売した店舗等が提供する食品のカロリー情報を取得し、これに基づいて総カロリー数を計算することができる。
【００５２】
また、健康情報管理部２０は、各食品を、例えば、炭水化物、肉、魚、緑黄色野菜、ビタミン類など所定の項目に分類し、各品目毎の摂取量のバランス情報を作成する（Ｓ３４２）。
そして、健康情報管理部２０は、計算した総カロリー数や、品目の摂取バランスの情報を、例えば、図１６に示したように数字とレーダーチャートとして画面に表示し（Ｓ３４３）、健康管理の処理を終了する。
【００５３】
次に、広告情報の提供処理について、図１７を参照して説明する。
図１７において、店舗から、店舗端末２を介して広告情報の登録要求がされると、広告情報処理部２１は所定の広告情報の登録画面を表示する（Ｓ４０１）。
この画面に従い、店舗側で広告ターゲット情報および広告情報を入力して送信すると、広告情報処理部２１は、送信された広告情報を受付け、これを広告情報データベース１３に登録する（Ｓ４０２）。
【００５４】
また、広告情報処理部２１は、所定のタイミングで広告情報データベースを参照して、有効期限内の広告情報を抽出する（Ｓ４０３）。
広告情報の抽出が完了すると、広告情報処理部２１は、ユーザ情報データベース１１を参照して、各広告情報のターゲット情報に適合するユーザを特定する（Ｓ４０４）。
ユーザの特定が完了すると、広告情報処理部２１は当該ユーザに対して広告情報データベース１３に登録されている広告情報を提供する（Ｓ４０５）。
この提供の方法としては、例えば、広告情報処理部２１がメールにより広告情報を配信してもよいし、当該ユーザ或いは当該ユーザ属するコミュニティのＷｅｂページ上にバナー広告を表示するなどしてもよい。
【００５５】
そして、広告情報処理部２１は、抽出した全ての広告情報について処理が完了したか否か判別し（Ｓ４０６）、完了していない場合にはＳ４０４の処理に戻って処理を繰り返す。
また、全ての広告情報について処理が完了した場合には、広告情報提供処理を終了する。
【００５６】
このように、本実施形態によれば、ユーザ情報登録の際に、ユーザ情報登録処理部１５がユーザが基準とする基準家計簿情報を設定し、乖離情報処理部１７がユーザが登録した家計簿情報とこの基準家計簿情報との乖離情報を抽出して、家計簿情報提供処理部１８が家計簿情報と共に抽出した乖離情報をユーザに対して提供するようにしたから、ユーザは目標とする家計簿情報との乖離を明確に把握でき、ユーザに対してその目的に合った家計改善の仕方を提供することができる。
【００５７】
また、基準家計簿情報として他のユーザの家計簿情報を設定することにより、ユーザはより現実的な目標を立てやすくなるし、その改善点も実例に沿った適切な改善点を抽出して指摘することができる。
【００５８】
また、基準家計簿情報を登録する際に、ユーザの属性情報に基づいて、ユーザに適合する属性情報を有する他のユーザの家計情報を基準家計簿情報として設定するようにすれば、各ユーザの属性に応じた適切な基準家計簿を設定することができる。
【００５９】
また、家計簿情報提供処理部１８が、他のユーザの家計情報を提供する際に匿名で提供するようにしたことから、他のユーザを特定できない形で家計簿情報を公開することができる。これにより、公開される側としても、匿名であることにより、安心して家計簿情報を公開することができる。
【００６０】
また、メール処理部２２により、ユーザが基準家計簿としている他のユーザとの間で情報交換を可能としたことから、ユーザが最も知りたい役立つ情報を情報交換することができる。また、メール処理部２２が、ユーザと他のユーザとの間でメール交換する際、送受信用のメールアドレスを設けたことから、匿名で自由に情報交換ができ、これにより家計簿の匿名性も保つことができる。
なお、情報交換の手段としては、メールに限らず、例えば、インターネット上の掲示板や、チャットを利用してもよい。
【００６１】
また、家計簿情報登録処理部１６が、ユーザの家計簿情報に関連付けて、ユーザが取引した商品又はサービスに関する取引情報を登録し、乖離情報処理部１７により取引項目ごとに乖離が生じている金額情報をユーザに提供するようにしたことから、ユーザに対して、各取引項目について具体的にどの程度の金額を削減或いは増加させればよいのか明確にすることができる。
【００６２】
また、シュミレーション処理部１９により、ユーザの取引情報に基づいて、各取引情報の取引金額を変更して家計簿のシュミレーションを行うようにしたことから、ユーザに対して、各項目をどの程度の金額とすれば、どの程度の時期に目標を達成できるかなど、将来の見通しを与えることができる。
【００６３】
また、健康情報管理部２０により、取引情報に含まれる食品情報を抽出し、この食品情報から、ユーザの家庭が消費した食品の栄養バランス情報を計算し、計算した栄養バランス情報をユーザに提供するようにしたことから、ユーザの健康管理も合わせて行うことができる。
【００６４】
また、広告情報処理部２１が、ユーザの家計簿情報に適合した広告情報を上記ユーザに提供するようにしたことから、ユーザとしては自己の目的に合った商品等の情報を簡単に得ることができる。そのため、わざわざユーザ自身で各店舗の広告情報を集める必要がなく、家計の状況に合った適切な広告情報を収集することができる。また店舗等の商品販売者としても、商品等に合った適切なユーザに広告情報を提供することができ、広告効果を向上させることができる。
【００６５】
また、ユーザが複数の構成員を含む家庭の場合には、家計簿情報登録処理部１６が、家計簿情報に含まれる各項目情報を個人ＩＤと関連付けて登録し、乖離情報処理部１７が個人毎に各項目の乖
離情報を抽出するようにしたことから、家庭全体でなく、個人毎にどの点を改善すればよいのかを分析、把握することができる。
【００６６】
また、家計簿情報に基づいて貸借対照表情報を作成するようにしてもよい。
この場合の例を図１８、図１９を参照して説明する。
図１８に示すように、家計簿情報提供処理部１８が、家計簿情報データベース１２に記憶されている各ユーザの家計簿情報に基づいて、貸借対照表情報を作成するようにしてもよい。図１８の例では、資産の部の勘定科目として、現金、普通預金、定期預金、給与天引積立金、社内預金、生命保険（保険を解約したとき解約金）、車両（減価償却又は下取り価格）、住宅（減価償却又は売買価格）、敷金、株式（時価を株数に乗じた金額）の科目を設定している。また、負債の部の勘定科目として、住宅ローン、学資ローン、自動車ローンの各ローンの返済表の残高、その他借入金などの科目を設定している。
なお、車両や住宅等家計簿情報データベース１２のデータだけでは特定できない金額は、所定のＷｅｂページ上から中古車の販売価格情報などを取得して、これを利用してデータを生成してもよいし、ユーザが入力してもよい。
これにより、各ユーザは自分の家庭の資産状況を客観的に把握することができる。特に、今までユーザが全く意識しないで支払っていたローンや税金、給与天引積立金、社内預金などの金額を各ユーザが把握して分析することができ、税金等の項目を入れることにより納税等に対する意識を高めることができる。
【００６７】
また、図１９に示すように前年度と今年度の貸借対照表の比較を行うようにしてもよい。
図１９に示した例では、家計簿情報提供処理部１９が各科目ごとに年初の金額と、年末の金額とその差額を計算し、これを表示した例である。
このように、年初と年度末とで比較することにより、ユーザの１年間の財産状況の変化を一目で分からせることができる。
また、図２０に示すように、家計簿情報提供処理部１９が各科目について１年間の各月の金額と、その合計金額を一覧表にしてユーザに提供してもよい。
これにより、ユーザは各月の収支やその合計金額を一目で把握することができるし、また翌年度の年次の家計計画を行う際の資料として活用することができる。
なお、図２０には、一覧表にした例について説明したが、これを所定のグラフ化して表示するようにしてもよい。
【００６８】
本実施形態にかかるユーザ管理装置１は、専用装置であってもよいし、また、汎用のコンピュータとコンピュータプログラムを用いて実現してもよい。汎用のコンピュータを利用して実現する場合には、例えば、汎用のコンピュータに対して上述の動作を実行するためのコンピュータプログラムやこれを格納したコンピュータ読み取り可能な媒体（ＦＤ、ＣＤ−ＲＯＭ等）からコンピュータプログラムをインストールすることにより上述の処理を実行する各装置を構成するようにしてもよい。なお、上述の機能をＯＳ（Operating System）が分担又はＯＳとアプリケーションプログラムの共同により実現する場合等には、ＯＳ以外の部分のみをコンピュータプログラムとして、またこのコンピュータプログラムをコンピュータ読み取り可能な媒体に格納してもよい。
【００６９】
また、ユーザ管理装置１用の各コンピュータプログラムを搬送波に重畳し、通信ネットワークを介して配信することも可能である。例えば、通信ネットワークの掲示板（ＢＢＳ）に当該プログラムを掲示し、これをネットワークを介して配信するようにしてもよい。そして、このコンピュータプログラムを起動し、ＯＳ制御下で他のアプリケーションプログラムと同様に実行させることにより上述の処理を実行させるようにしてもよい。
【００７０】
【発明の効果】
本発明によれば、ユーザの目的に応じた家計簿情報の分析ができるとともに、ユーザに対してその目的を達成するための具体的な改善点を提供できる。
【図面の簡単な説明】
【図１】  本発明にかかる家計簿情報処理装置をユーザの家計簿情報を分析・管理するシステムに適用した一実施形態の全体構成を示す概念図。
【図２】  本実施形態にかかるユーザ管理装置の機能ブロック図。
【図３】  本実施形態にかかるユーザ情報データベースに記憶されるデータの一例を示した図。
【図４】  本実施形態にかかる家計簿情報データベースに記憶されるデータの一例を示した図。
【図５】  本実施形態にかかる広告情報データベースに記憶されるデータの一例を示した図。
【図６】  本実施形態にかかるコミュニティ情報データベースに記憶されるデータの一例を示した図。
【図７】  本実施形態にかかるユーザ情報の登録処理の一例を示した処理フロー図。
【図８】  本実施形態にかかるユーザの家計簿情報を登録する際の処理の一例を示した処理フロー図。
【図９】  本実施形態にかかる家計簿情報の乖離情報を抽出してユーザに提供する際の処理の一例を示した処理フロー図。
【図１０】  本実施形態にかかる各種分析処理の一例を示した処理フロー図。
【図１１】  本実施形態にかかるユーザの家計簿情報を表示した際の画面の一例を示した図。
【図１２】  本実施形態にかかるユーザの個人家計簿情報を表示した際の画面の一例を示した図。
【図１３】  本実施形態にかかる家計シュミレーションを行う際の画面の一例を示した図。
【図１４】  本実施形態にかかる他のユーザの家計簿情報を表示した際の画面の一例を示した図。
【図１５】  本実施形態にかかる他のユーザの家計簿情報の詳細情報を表示した際の画面の一例を示した図。
【図１６】  本実施形態にかかるユーザの健康管理情報を表示した際の画面の一例を示した図。
【図１７】  本実施形態にかかるユーザに広告情報を提供する際の処理の一例を示した処理フロー図。
【図１８】  本実施形態にかかる家計簿情報から貸借対照表を作成して表示した際の画面の一例を示した図。
【図１９】  本実施形態にかかる家計簿情報から比較貸借対照表を作成して表示した際の画面の一例を示した図。
【図２０】  本実施形態にかかる家計簿情報から科目ごとの月別の金額の推移を一覧表を作成して表示した際の画面の一例を示した図。
【符号の説明】
１      ユーザ管理装置
２      店舗端末
３      ユーザ端末
１２    家計簿情報データベース
１３    広告情報データベース
１５    ユーザ情報登録処理部
１６    家計簿情報登録処理部
１７    乖離情報処理部
１８    家計簿情報提供処理部
１９    シュミレーション処理部
２０    健康情報管理部
２１    広告情報処理部
２２    メール処理部
【図１】
0004439158.tif 000002
【図２】
0004439158.tif 000003
【図３】
0004439158.tif 000004
【図４】
0004439158.tif 000005
【図５】
0004439158.tif 000006
【図６】
0004439158.tif 000007
【図７】
0004439158.tif 000008
【図８】
0004439158.tif 000009
【図９】
0004439158.tif 000010
【図１０】
0004439158.tif 000011
【図１１】
0004439158.tif 000012
【図１２】
0004439158.tif 000013
【図１３】
0004439158.tif 000014
【図１４】
0004439158.tif 000015
【図１５】
0004439158.tif 000016
【図１６】
0004439158.tif 000017
【図１７】
0004439158.tif 000018
【図１８】
0004439158.tif 000019
【図１９】
0004439158.tif 000020
【図２０】
0004439158.tif 000021